(57)【要約】  本発明の実施形態は、データ伝送方法、伝送端末装置、および受信端末装置に関する。本方法は、伝送端末装置によって、伝送されるデータに基づいて、少なくとも第1のデータおよび第2のデータを生成するステップであって、前記第1のデータのサイズと、前記第2のデータのサイズとが異なっている、生成するステップと、伝送端末装置によって、第1の伝送チャネルを使用して第1のデータを送信し、第2の伝送チャネルを使用して第2のデータを送信するステップであって、第1の伝送チャネルの伝送遅延は、第2の伝送チャネルの伝送遅延とは異なる、送信するステップとを含む。本発明の実施形態におけるデータ伝送は、低伝送遅延でかつ高い信頼性を有し、様々な通信システムに広く適用することができ、特にIMT−2020システムに適用可能である。
2019528000.tif 000002
【特許請求の範囲】
【請求項１】
データ伝送方法であって、前記方法は、
伝送端末装置によって、伝送されるデータに基づいて、少なくとも第1のデータおよび第2のデータを生成するステップであって、前記第1のデータのサイズと、前記第2のデータのサイズとが異なっている、生成する、ステップと、
前記伝送端末装置によって、第1の伝送チャネルを使用して前記第1のデータを送信し、第2の伝送チャネルを使用して前記第2のデータを送信するステップであって、前記第1の伝送チャネルの伝送遅延は、前記第2の伝送チャネルの伝送遅延とは異なる、送信する、ステップと
を含む、方法。
【請求項２】
前記第1のデータの前記サイズが、前記第2のデータの前記サイズよりも小さく、前記第1の伝送チャネルの前記伝送遅延が、前記第2の伝送チャネルの前記伝送遅延よりも低い、請求項1に記載の方法。
【請求項３】
前記第1のデータが第1の識別子を含み、前記第2のデータが第2の識別子を含み、前記第1の識別子および前記第2の識別子が、前記第1のデータおよび前記第2のデータが、同一の情報源から来たかどうかを示すために使用される、請求項1または2に記載の方法。
【請求項４】
前記伝送端末装置によって、伝送されるデータに基づいて、少なくとも第1のデータおよび第2のデータを生成する前記ステップであって、前記第1のデータのサイズと、前記第2のデータのサイズとが異なる、前記ステップが、具体的には、
前記伝送端末装置によって、サイズが異なる前記第1のデータおよび前記第2のデータを取得するために、異なる圧縮率に基づいて、前記伝送されるデータを圧縮することである、請求項1〜3のいずれか一項に記載の方法。
【請求項５】
前記第1のデータが、基本データであり、前記第2のデータが、拡張データであり、前記基本データは、主要な機能を有する、サイズが小さいデータであり、前記伝送されるデータを使用して取得され、前記拡張データは、副次的な機能を有する大きいサイズのデータであり、前記伝送されるデータを使用して取得される、
請求項1〜3のいずれか一項に記載の方法。
【請求項６】
前記第1の伝送チャネルの伝送遅延が、前記第2の伝送チャネルの伝送遅延とは異なることを特徴とし、
前記第1の伝送チャネルにある通信装置の数が、前記第2の伝送チャネルにある通信装置の数とは異なることと、
前記第1の伝送チャネルにあるアクセス装置のアクセスモードが、前記第2の伝送チャネルにあるアクセス装置のアクセスモードとは異なることと、
前記第1の伝送チャネルが使用する周波数帯が、前記第2の伝送チャネルが使用する周波数帯とは異なることと、
前記第1の伝送チャネルにある前記アクセス装置のカバレッジ領域が、前記第2の伝送チャネルにある前記アクセス装置のカバレッジ領域とは異なることと、
前記第1の伝送チャネルの容量が、前記第2の伝送チャネルの容量とは異なることと、
のうちのいずれか1つ以上を含む、請求項1〜5のいずれか一項に記載の方法。
【請求項７】
データ伝送方法であって、前記方法は、
受信端末装置によって、第1の伝送チャネルから第1のデータを受信して、前記第1のデータを処理するステップと、
前記受信端末装置によって、第2の伝送チャネルから第2のデータを受信して、前記第2のデータおよび前記第1のデータが同じ情報源から来たデータかどうかを判定して、前記第1のデータおよび前記第2のデータが同一の情報源から来たデータである場合は、前記第2のデータを処理するステップとを含み、
前記第1のデータのサイズは、前記第2のデータのサイズとは異なり、前記第1の伝送チャネルの伝送遅延は、前記第2の伝送チャネルの伝送遅延とは異なる、
方法。
【請求項８】
前記第1のデータの前記サイズが、前記第2のデータの前記サイズよりも小さく、前記第1の伝送チャネルの前記伝送遅延が、前記第2の伝送チャネルの前記伝送遅延よりも低い、請求項7に記載の方法。
【請求項９】
前記第2のデータおよび前記第1のデータが、同じ情報源から来たかどうかを判定する前記ステップが、
前記第1のデータ、および前記第2のデータ内の対応するフィールドの識別子を使用して、前記第1のデータおよび前記第2のデータが、前記同一の情報源から来たかどうかを判定することと、
前記第1のデータのチャネル識別子、および前記第2のデータのチャネル識別子を使用して、前記第1のデータおよび前記第2のデータが、前記同じ情報源から来たかどうかを判定することと、
前記第1のデータおよび前記第2のデータのそれぞれに含まれる、ソースIPアドレス、チャネル型、およびサービス型のうちの1つ以上を使用して、前記第1のデータおよび前記第2のデータが同じ情報源から来たかどうかを判定することと、
のうちのいずれか1つ以上を含む、請求項7または8に記載の方法。
【請求項１０】
前記第1の伝送チャネルの伝送遅延が、前記第2の伝送チャネルの伝送遅延とは異なることを特徴とし、
前記第1の伝送チャネルにある通信装置の数が、前記第2の伝送チャネルにある通信装置の数とは異なることと、
前記第1の伝送チャネルにあるアクセス装置のアクセスモードが、前記第2の伝送チャネルにあるアクセス装置のアクセスモードとは異なることと、
前記第1の伝送チャネルが使用する周波数帯が、前記第2の伝送チャネルが使用する周波数帯とは異なることと、
前記第1の伝送チャネルにある前記アクセス装置のカバレッジ領域が、前記第2の伝送チャネルにある前記アクセス装置のカバレッジ領域とは異なることと、
前記第1の伝送チャネルの容量が、前記第2の伝送チャネルの容量とは異なることと、
のうちのいずれか1つ以上を含む、請求項7〜9のいずれか一項に記載の方法。
【請求項１１】
伝送されるデータに基づいて、少なくとも第1のデータおよび第2のデータを生成するように構成され、前記第1のデータのサイズと、前記第2のデータのサイズとが異なる、生成ユニットと、
第1の伝送チャネルを使用して前記第1のデータを送信し、第2の伝送チャネルを使用して前記第2のデータを送信するように構成された送信ユニットであって、前記第1の伝送チャネルの伝送遅延は、前記第2の伝送チャネルの伝送遅延とは異なる、送信ユニットと
を備える、データ伝送装置。
【請求項１２】
前記第1のデータの前記サイズが、前記第2のデータの前記サイズよりも小さく、前記第1の伝送チャネルの前記伝送遅延が、前記第2の伝送チャネルの前記伝送遅延よりも低い、請求項11に記載の装置。
【請求項１３】
前記第1のデータが第1の識別子を含み、前記第2のデータが第2の識別子を含み、前記第1の識別子および前記第2の識別子が、前記第1のデータおよび前記第2のデータが、同一の情報源から来たかどうかを示すために使用される、請求項11または12に記載の装置。
【請求項１４】
前記生成ユニットが、
サイズが異なる前記第1のデータおよび前記第2のデータを取得するために、異なる圧縮率に基づいて前記伝送されるデータを圧縮する、
ように特に構成される、請求項11〜13のいずれか一項に記載の装置。
【請求項１５】
前記第1のデータが基本データであり、前記第2のデータが拡張データであり、前記基本データは、主要な機能を有する、サイズが小さいデータであり、前記伝送されるデータを使用して取得され、前記拡張データは、副次的な機能を有する大きいサイズのデータであり、前記伝送されるデータを使用して取得される、
請求項11〜13のいずれか一項に記載の装置。
【請求項１６】
前記装置が、チャネル判定ユニットをさらに備え、前記チャネル判定ユニットが、前記第1の伝送チャネルにある通信装置の数が、前記第2の伝送チャネルにある通信装置の数とは異なるようにする方法と、
前記第1の伝送チャネルにあるアクセス装置のアクセスモードが、前記第2の伝送チャネルにあるアクセス装置のアクセスモードとは異なるようにする方法と、
前記第1の伝送チャネルが使用する周波数帯が、前記第2の伝送チャネルが使用する周波数帯とは異なるようにする方法と、
前記第1の伝送チャネルにある前記アクセス装置のカバレッジ領域が、前記第2の伝送チャネルにある前記アクセス装置のカバレッジ領域とは異なるようにする方法と、
前記第1の伝送チャネルの容量が、前記第2の伝送チャネルの容量とは異なるようにする方法と、
のうちのいずれか1つ以上の方法を使用して、前記第1の伝送チャネルおよび前記第2の伝送チャネルを判定するように構成される、
請求項11〜15のいずれか一項に記載の装置。
【請求項１７】
データ伝送装置であって、前記装置が、受信ユニットと、処理ユニットと、同一ソースデータ判定ユニットとを備え、
前記受信ユニットが、第1の伝送チャネルから第1のデータを受信するように構成され、
前記処理ユニットが、前記第1のデータを処理するように構成され、
前記受信ユニットが、第2の伝送チャネルから第2のデータを受信するようにさらに構成され、
前記同一ソースデータ判定ユニットが、前記第2のデータおよび前記第1のデータが同一の情報源から来たかどうかを判定するように構成され、
前記処理ユニットが、前記第1のデータおよび前記第2のデータが前記同一の情報源から来たデータである場合は、前記第2のデータを処理するようにさらに構成され、
前記第1のデータのサイズが、前記第2のデータのサイズとは異なり、前記第1の伝送チャネルの伝送遅延が、第2の伝送チャネルの伝送遅延とは異なる、
装置。
【請求項１８】
前記第1のデータのサイズが、前記第2のデータのサイズよりも小さく、前記第1の伝送チャネルの前記伝送遅延が、前記第2の伝送チャネルの前記伝送遅延よりも低い、請求項17に記載の装置。
【請求項１９】
前記同一ソースデータ判定ユニットが、
前記第1のデータ、および前記第2のデータ内の対応するフィールドの識別子を使用して、前記第1のデータおよび前記第2のデータが、前記同一の情報源から来たかどうかを判定し、
前記第1のデータのチャネル識別子、および前記第2のデータのチャネル識別子を使用して、前記第1のデータおよび前記第2のデータが、前記同一の情報源から来たかどうかを判定し、
前記第1のデータおよび前記第2のデータのそれぞれに含まれる、ソースIPアドレス、チャネル型、およびサービス型のうちの1つ以上を使用して、前記第1のデータおよび前記第2のデータが前記同一の情報源から来たかどうかを判定する、
ようにさらに構成された、請求項17または18に記載の装置。
【発明の詳細な説明】
【技術分野】
【０００１】
本発明の実施形態は、通信分野に関し、特に、通信システムにおけるデータ伝送に関する。
【背景技術】
【０００２】
現在、遠隔医療、遠隔工業制御、および仮想現実の分野において、通信システムに新たな要件が課されている。例えば、IMT−2020指向の第5世代移動通信システムでは、ディープカバレッジ（deep coverage）（164dBのカバレッジ）のシナリオにおいて、約300KB（キロバイト）のデータパケットを、10−5未満のブロックエラー率を用いて示される信頼性で1ミリ秒以内に伝送しなければならない、すなわちデータ伝送速度が300Mbps（メガビット毎秒）に達することが必要とされる。しかしながら、既存の通信システムでは、低遅延（1ミリ秒）で、高信頼性（ブロックエラー率10−5未満）で、かつ高速（300Mbps）という要件を同時に満たすことはできない。
【０００３】
既存の比較的先進的な無線通信システムは、3GPPが規定したLTE−Advanced（進化版LTE）無線通信システムである。LTE−Advancedシステムでは、理論的な上り回線ピーク率は500Mbpsであり、伝送毎のブロックエラー率は10−1である。実際の運用では、通常は速度約100Mbpsになる。LTEでは伝送毎のブロックエラー率は10−1のため、ブロックエラー率10−5の信頼性要件を満たすためには再伝送が避けられず、再伝送によって伝送遅延が大幅に増加し、伝送速度が低下する。ブロックエラー率10−1からブロックエラー率10−5まで信頼性を高めるには、再伝送フィードバック遅延があっても5回の再伝送が必要になり、速度が元の速度の1／5に低下する。したがって、1ms以内にブロックエラー率10−5で伝送できるデータ量は125KBであり、ビットエラー率10−5で1ms以内に300KBのデータを伝送するという要件を満たすことはできない。
【０００４】
したがって、既存の通信システムでは、低遅延で、高信頼性で、かつ高速という要件を同時に満たすことは困難である。
【発明の概要】
【課題を解決するための手段】
【０００５】
本発明の実施形態は、データ伝送の低遅延、および高信頼性の両方の要件を満たすための、データ伝送方法、伝送端末装置、および受信端末装置を提供する。
【０００６】
第1の態様によれば、本発明の実施形態は、データ伝送方法を提供し、本方法は、
伝送端末装置によって、伝送されるデータに基づいて、少なくとも第1のデータおよび第2のデータを生成するステップであって、第1のデータのサイズと、第2のデータのサイズとが異なっている、生成するステップと、
伝送端末装置によって、第1の伝送チャネルを使用して第1のデータを送信し、第2の伝送チャネルを使用して第2のデータを送信するステップであって、第1の伝送チャネルの伝送遅延は、第2の伝送チャネルの伝送遅延とは異なる、送信するステップとを含む。
【０００７】
第2の態様によれば、本発明の実施形態は、データ伝送装置を提供し、本装置は、
伝送されるデータに基づいて、少なくとも第1のデータおよび第2のデータを生成するように構成され、第1のデータのサイズと、第2のデータのサイズとが異なる、生成ユニットと、
第1の伝送チャネルを使用して第1のデータを送信し、第2の伝送チャネルを使用して第2のデータを送信するように構成され、第1の伝送チャネルの伝送遅延は、第2の伝送チャネルの伝送遅延とは異なる、送信ユニットとを備える。
【０００８】
第3の態様によれば、本発明の実施形態は、伝送端末装置を提供し、伝送端末装置は、
伝送されるデータに基づいて、少なくとも第1のデータおよび第2のデータを生成するように構成され、第1のデータのサイズと、第2のデータのサイズとが異なる、プロセッサと、
第1の伝送チャネルを使用して第1のデータを送信し、第2の伝送チャネルを使用して第2のデータを送信するように構成され、第1の伝送チャネルの伝送遅延は、第2の伝送チャネルの伝送遅延とは異なる、伝送器とを備える。
【０００９】
本発明のこの実施形態では、伝送されるデータに基づいて、サイズが異なる複数のデータが生成され、生成されたデータは、遅延が異なる伝送チャネルを使用して個別に伝送される。したがって、本発明のこの実施形態は、低遅延で、高信頼性で、かつ高速なデータ伝送を同時に実現することができる。
【００１０】
1つの例では、第1のデータのサイズは、第2のデータのサイズよりも小さく、第1の伝送チャネルの伝送遅延は、第2の伝送チャネルの伝送遅延よりも低い。
【００１１】
別の例では、第1のデータのサイズは、第2のデータのサイズよりも小さく、第1の伝送チャネルの容量は、第2の伝送チャネルの容量よりも小さい。この場合、第1のデータおよび第2のデータの伝送時の総合遅延は低くなる。
【００１２】
さらに別の例では、第1のデータのサイズは、第2のデータのサイズよりも小さく、第1の伝送チャネルの容量は、第2の伝送チャネルの容量よりも大きい。この場合、第1のデータ伝送時の遅延は低く、受信端末装置は、より短い時間で第1のデータを受信することができ、その結果、ユーザは、必要な情報を時間内に取得することができ、これによりユーザの使用感が向上する。
【００１３】
1つの例では、第1のデータは第1の識別子を含み、第2のデータは第2の識別子を含み、第1の識別子および第2の識別子は、第1のデータおよび第2のデータが、同一の情報源から来たかどうかを示すために使用される。
【００１４】
1つの例では、伝送端末装置によって、伝送されるデータに基づいて、少なくとも第1のデータおよび第2のデータを生成するステップであって、第1のデータのサイズと、第2のデータのサイズとが異なる、生成するステップは、具体的には、
伝送端末装置によって、サイズが異なる第1のデータおよび第2のデータを取得するために、異なる圧縮率に基づいて、伝送されるデータを圧縮することである。
【００１５】
別の例では、第1のデータは基本データであり、第2のデータは拡張データであり、基本データは、主要な機能を有する小さいサイズのデータであり、伝送されるデータを使用して取得され、拡張データは、副次的な機能を有する大きいサイズのデータであり、伝送されるデータを使用して取得される。
【００１６】
1つの例では、第1の伝送チャネルの伝送遅延が、第2の伝送チャネルの伝送遅延とは異なることを特徴とし、
第1の伝送チャネルにある通信装置の数が、第2の伝送チャネルにある通信装置の数とは異なることと、
第1の伝送チャネルにあるアクセス装置のアクセスモードが、第2の伝送チャネルにあるアクセス装置のアクセスモードとは異なることと、
第1の伝送チャネルが使用する周波数帯が、第2の伝送チャネルが使用する周波数帯とは異なることと、
第1の伝送チャネルにあるアクセス装置のカバレッジ領域が、第2の伝送チャネルにあるアクセス装置のカバレッジ領域とは異なることと、
第1の伝送チャネルの容量が、第2の伝送チャネルの容量とは異なることと、
のうちのいずれか1つ以上が含まれる。
【００１７】
第4の態様によれば、本発明は別のデータ伝送方法を提供し、本方法は、
受信端末装置によって、第1の伝送チャネルから第1のデータを受信して、第1のデータを処理するステップと、
受信端末装置によって、第2の伝送チャネルから第2のデータを受信して、第2のデータおよび第1のデータが同一の情報源から来たデータかどうかを判定して、第1のデータおよび第2のデータが同じ情報源から来たデータである場合は、第2のデータを処理するステップとを含み、
第1のデータのサイズは、第2のデータのサイズとは異なり、第1の伝送チャネルの伝送遅延は、第2の伝送チャネルの伝送遅延とは異なる。
【００１８】
第5の態様によれば、本発明の実施形態は別のデータ伝送装置を提供し、この装置は、受信ユニットと、処理ユニットと、同一ソースデータ判定ユニットとを備え、
受信ユニットが、第1の伝送チャネルから第1のデータを受信するように構成され、
処理ユニットが、第1のデータを処理するように構成され、
受信ユニットが、第2の伝送チャネルから第2のデータを受信するようにさらに構成され、
同一ソースデータ判定ユニットが、第2のデータおよび第1のデータが同一の情報源から来たかどうかを判定するように構成され、
処理ユニットが、第1のデータおよび第2のデータが同一の情報源から来たデータである場合は、第2のデータを処理するようにさらに構成され、
第1のデータのサイズは、第2のデータのサイズとは異なり、第1の伝送チャネルの伝送遅延は、第2の伝送チャネルの伝送遅延とは異なる。
【００１９】
第6の態様によれば、本発明の実施形態は受信端末装置を提供し、受信端末装置は、受信機と、プロセッサとを備え、
受信機は、第1の伝送チャネルから第1のデータを受信するように構成され、
プロセッサは、第1のデータを処理するように構成され、
受信機は、第2の伝送チャネルから第2のデータを受信するようにさらに構成され、
プロセッサは、第2のデータおよび第1のデータが同一の情報源から来たかどうかを判定し、第1のデータおよび第2のデータが同一の情報源から来たデータである場合は、第2のデータを処理するようにさらに構成され、
第1のデータのサイズは、第2のデータのサイズとは異なり、第1の伝送チャネルの伝送遅延は、第2の伝送チャネルの伝送遅延とは異なる。
【００２０】
本発明のこの実施形態では、伝送遅延に対するユーザ要件を満たし、かつ伝送の信頼性に対するユーザ要件をさらに満たすために、サイズが異なるデータは、異なる遅延で異なる伝送チャネルから受信される。
【００２１】
1つの例では、第1のデータのサイズは、第2のデータのサイズよりも小さく、第1の伝送チャネルの伝送遅延は、第2の伝送チャネルの伝送遅延よりも低い。
【００２２】
1つの例では、第2のデータおよび第1のデータが、同じ情報源から来たかどうかを判定するステップは、
第1のデータ、および第2のデータ内の対応するフィールドの識別子を使用して、第1のデータおよび第2のデータが、同一の情報源から来たかどうかを判定することと、
第1のデータのチャネル識別子、および第2のデータのチャネル識別子を使用して、第1のデータおよび第2のデータが、同じ情報源から来たかどうかを判定することと、
第1のデータおよび第2のデータのそれぞれに含まれる、ソースIPアドレス、チャネル型、およびサービス型のうちの1つ以上を使用して、第1のデータおよび第2のデータが同じ情報源から来たかどうかを判定することと、
のうちのいずれか1つ以上を含む。
【００２３】
1つの例では、第1の伝送チャネルの伝送遅延が、第2の伝送チャネルの伝送遅延とは異なることを特徴とし、
第1の伝送チャネルにある通信装置の数が、第2の伝送チャネルにある通信装置の数とは異なることと、
第1の伝送チャネルにあるアクセス装置のアクセスモードが、第2の伝送チャネルにあるアクセス装置のアクセスモードとは異なることと、
第1の伝送チャネルが使用する周波数帯が、第2の伝送チャネルが使用する周波数帯とは異なることと、
第1の伝送チャネルにあるアクセス装置のカバレッジ領域が、第2の伝送チャネルにあるアクセス装置のカバレッジ領域とは異なることと、
第1の伝送チャネルの容量が、第2の伝送チャネルの容量とは異なることと、
のうちのいずれか1つ以上が含まれる。
【００２４】
本発明の実施形態では、サイズが異なる複数のデータは、伝送されるデータに基づいて生成され、伝送遅延に対するユーザ要件を満たすために、低遅延の伝送チャネルは、小さいサイズのデータを伝送するために使用され、高遅延の伝送チャネルは、ユーザが求める詳細を提供するための、大きいサイズのデータを伝送するために使用される。したがって、本発明の実施形態は、低遅延で、高信頼性で、かつ高速なデータ伝送を同時に実現することができる。
【図面の簡単な説明】
【００２５】
【図１】本発明の実施形態による、適用シナリオの概略図である。
【図２】本発明の実施形態による、データ伝送方法の概略図である。
【図３】本発明の実施形態による、データ伝送装置の概略図である。
【図４】本発明の実施形態による、別のデータ伝送装置の概略図である。
【図５】本発明の実施形態による、伝送端末装置の概略図である。
【図６】本発明の実施形態による、受信端末装置の概略図である。
【発明を実施するための形態】
【００２６】
本発明の目的、技術的解決策、および利点をより明確にするために、後述において、本発明の実施形態における技術的解決策について、本発明の実施形態の添付の図面を参照しながら説明する。説明されている実施形態は、本発明の実施形態のすべてではなく、一部であることは明らかである。本発明の実施形態に基づいて、当業者が創造的な努力をすることなく得た他のすべての実施形態は、本発明の保護の範囲に属する。
【００２７】
図1は、本発明の実施形態による、適用シナリオの概略図である。
【００２８】
受信端末装置にデータを送信するために、伝送端末装置は、まず伝送されるデータを処理して、少なくともデータ1およびデータ2を取得する。例えば、伝送端末装置は、サイズが異なるデータ1およびデータ2を取得するために、異なる圧縮率に基づいて、伝送されるデータを圧縮する。データ1のサイズはデータ2のサイズよりも小さく、データ1は、伝送遅延が低い伝送チャネル1を使用して受信端末装置に送信され、データ2は、伝送遅延が高い伝送チャネル2を使用して受信端末装置に送信されると仮定する。具体的には、伝送端末装置は、無線リンク1を使用してデータ1をアクセスポイント1に伝送し、アクセスポイント1は、データ1を受信端末装置に伝送し、伝送端末装置は、アクセスポイント2を使用してデータ2をアクセスポイント2に伝送し、アクセスポイント2は、データ2を中継ノードに伝送し、次に中継ノードが、データ2を受信端末装置に伝送する。
【００２９】
伝送チャネル1の遅延は伝送チャネル2の遅延よりも低いため、受信端末装置は、伝送端末装置からデータ1をまず受信し、受信端末装置はデータ1を処理して、次にデータ1をアプリケーション層に送信して、ユーザにデータ1を提供する。受信端末装置がデータ1を処理する時間内に、伝送チャネル2は、データ2を受信端末装置に伝送する。受信端末装置は、データ2およびデータ1が、同一の情報源から来たデータかどうかを判定する。データ2およびデータ1が同一の情報源から来たデータである場合は、受信端末装置は、データ2を処理し、次にデータ2をアプリケーション層に送信して、データ2をユーザに提供する。データ2のサイズはデータ1のサイズよりも大きく、データ2は、データ1よりも多量のデータを含んでいる。したがって、受信端末装置は、データ2を受信することによってより詳細な情報を取得することができ、その結果、伝送速度が速く、かつ伝送の信頼性が高いというユーザ要件が満たされる。また、データ1はサイズが小さく、かつデータ1は低遅延の伝送チャネルを使用して伝送されるので、受信端末装置がデータ1を受信する時間、および受信端末装置がデータ1を処理してユーザにデータ1を提供するまでの時間は短く、これによってユーザの遅延要件が満たされる。
【００３０】
なお、伝送端末装置は、端末、ユーザ機器、データセンタ、サーバなどであってもよく、受信端末装置もまた、端末、ユーザ機器、データセンタ、サーバなどであってもよく、アクセスポイントは、基地局、無線アクセスポイント、送受信局、および中継ノードなどのアクセス装置であってもよい。伝送端末装置と、受信端末装置との間の伝送は、電波を使用して、あるいは可視光線、レーザー、電力線、赤外線、光ファイバ、同軸ケーブル、銅撚り線、量子伝送チャネルなどを使用して実施されてもよい。
【００３１】
また、本発明の実施形態の適用シナリオは、図1に示されているものに限定されない。本発明のこの実施形態は、LTEシステム、LTE−Advancedシステム、およびIEEE802．11adシステムなどの、任意の有線または無線通信システムに適用することができ、かつ本発明のこの実施形態は、特に、第5世代移動通信システムIMT−2020に適用可能である。
【００３２】
図2は、本発明の実施形態による、データ伝送方法の概略図である。
【００３３】
ステップ201において、伝送端末装置は、伝送されるデータに基づいて少なくともデータ1およびデータ2を生成し、データ1とデータ2とのサイズは異なる。
【００３４】
なお、伝送端末装置は、伝送されるデータに基づいて、サイズが異なる任意の複数のデータを生成してもよい。以下、サイズが異なるデータ1およびデータ2の2つのデータが生成される、1つの例のみを使用して説明する。
【００３５】
1つの例では、伝送端末装置によって、伝送されるデータに基づいて生成された、複数のデータ内の対応する各フィールドは識別子を含み、識別子は、複数のデータが、同一の情報源から来たかどうかを示すために使用される。
【００３６】
例えば、伝送端末装置は、データ送信順序に従って、伝送されるデータに番号を付ける。例えば、伝送される1つのデータの番号が0101であれば、番号0101の伝送されるデータに基づいて生成された、データ1およびデータ2の対応するフィールドは番号0101を含み、番号0101は、データ1およびデータ2が、番号0101の伝送されるデータから来たことを示すために使用される。
【００３７】
1つの例では、伝送端末装置は、サイズが異なるデータ1およびデータ2を取得するために、異なる圧縮率に基づいて、伝送されるデータを圧縮する。すなわち、データ1およびデータ2は、異なる圧縮率に基づいて、伝送されるデータを圧縮して伝送端末装置が取得した、サイズが異なるデータである。したがって、データ1およびデータ2は、同一の情報源から来たものである。
【００３８】
例えば、伝送されるデータは動画データであり、動画データは、サイズが異なるデータ1およびデータ2を取得するために、異なる圧縮率に基づいて圧縮される。データ1の圧縮率は、データ2の圧縮率よりも高く、データ1のサイズはデータ2のサイズよりも小さく、データ1の解像度は低く、データ2の解像度は高いと仮定する。この場合、受信端末において、低解像度のデータ1がまず受信され処理されてユーザに提供されてもよく、次に、高解像度のデータ2が、受信され処理されてユーザに提供されてもよい（具体的な実施については、後で詳細に説明する）。したがって、本発明のこの実施形態は、データ受信時の遅延を低くするというユーザ要件を満たすことができ、かつデータ受信時の伝送速度を速くし、信頼性を高めるというユーザの要件をさらに満たすことができる
【００３９】
別の例では、伝送端末装置は、データを伝送する前に、伝送されるものから基本データと拡張データとを取得する。基本データは、主要な機能を有し、かつ情報コンテンツが少ないデータであり、伝送されるデータを使用して取得され、拡張データは、副次的な機能を有し、かつ情報コンテンツが多いデータであり、伝送されるデータを使用して取得される。また、拡張データは、伝送されるデータに含まれるすべてのデータ情報であってもよい。すなわち基本データは、伝送されるデータから来て、受信端末が至急に必要とし、かつサイズが小さく、その結果、データ受信時の遅延を低くするというユーザ要件を満たすデータであり、拡張データは、伝送されるデータから来て、受信端末に詳細な情報を提供し、かつサイズが大きく、その結果、データ受信時の信頼性を高めるというユーザ要件を満たすデータである。
【００４０】
例えば、高性能医療（smart medical care）において、基本データは、血圧、心拍、心電図、および体温などの、主要な機能を持つ小さいサイズのデータ（すなわちデータ1）であり、拡張データは、動画データなどの、比較的副次的な機能を持つ大きいサイズのデータ（すなわちデータ2）である。別の例では、工業制御において、伝送されるデータは機械式アーム移動制御データで、基本データ（データ1）は、機械式アーム移動制御データから取得された機械式アームの移動方向であり、拡張データ（データ2）は、機械式アーム移動制御データから取得された機械式アームの移動値である。
【００４１】
したがって、伝送端末装置は、伝送されるデータに基づいて、サイズが異なる複数のデータを生成し、例えば、データ1およびデータ2を生成し、データ1のサイズはデータ2のサイズよりも小さく、データ2は、情報伝送の信頼性を高めるために、データ1の部分的な情報、またはすべての情報を含んでもよく、あるいはデータ2は、データ伝送のリソースを削減するために、データ1の情報を含んでいなくてもよい。
【００４２】
ステップ202において、伝送端末装置は、遅延が異なる伝送チャネルを使用して、伝送されるデータに基づいて生成された、データ1およびデータ2などの、サイズが異なる複数のデータを個別に伝送する。すなわち、伝送端末装置は、遅延が異なる伝送チャネルを使用して、サイズが異なるデータ1およびデータ2を、受信端末装置に個別に送信する。
【００４３】
1つの例では、サイズが小さいデータ1は、低遅延の伝送チャネル1を使用して受信端末装置に送信され、サイズが大きいデータ2は、高遅延の伝送チャネルを使用して受信端末装置に送信される。具体的には、これは以下の方法の1つ以上で実施することができる。
【００４４】
（1）伝送されるデータに基づいて生成された、サイズが異なる複数のデータ内で、小さいサイズのデータは、少数の通信装置がある伝送チャネルを使用して伝送され、大きいサイズのデータは、多数の通信装置がある伝送チャネルを使用して伝送される。すなわち、データ1のサイズは小さく、データ2のサイズは大きく、伝送チャネル1の伝送遅延は低く、伝送チャネル2の伝送遅延は高く、データ1は伝送チャネル1を使用して伝送され、データ2は伝送チャネル2を使用して伝送されると仮定する。
【００４５】
図1に示すように、データ1のサイズはデータ2のサイズよりも小さく、伝送端末装置は、無線リンク1を使用してデータ1をアクセスポイント1に伝送し、次に、アクセスポイント1は、アクセスポイント1を使用してデータ1を受信端末装置に伝送する。伝送端末装置は、データ2を処理してから、無線リンク2を使用してデータ2をアクセスポイント2に伝送し、アクセスポイント2は、データ2を中継ノードに伝送し、次に中継ノードが、データ2を受信端末装置に伝送する。伝送端末装置は、少数の通信装置がある（アクセスポイント1のみを含む）伝送チャネル1を使用して、データ1を受信端末装置に送信し、多数の通信装置がある（アクセスポイント2、および中継ノードを含む）伝送チャネル2を使用して、データ2を受信端末装置に送信し、その結果、サイズが小さいデータ1は、低遅延の伝送チャネル1を使用して伝送され、サイズが大きいデータ2は、高遅延の伝送チャネル2を使用して伝送されることが理解されよう。
【００４６】
（2）伝送されるデータに基づいて生成された、サイズが異なる複数のデータは、異なるアクセスモードに対応する伝送チャネルを使用して、個別に伝送される。
【００４７】
複数の伝送チャネルの、アクセス装置のアクセスモードは異なっており、したがって伝送チャネルの伝送遅延は異なる。例えば、伝送端末装置は、無線リンク1を使用して、データ1をアクセスポイント1に伝送し、アクセスポイント1は、受信端末装置と共同設置され（例えば、受信端末装置はデータセンタであり、アクセスポイント1とデータセンタとは、内部相互接続線を使用して接続される）、アクセスポイント1は、内部相互接続線を使用して、データ1を受信端末装置に伝送する。伝送端末装置は、無線リンク2を使用してデータ2をアクセスポイント2に伝送し、かつアクセスポイント2は、光ファイバを使用してデータ2を受信端末装置に伝送する。データ1およびデータ2を伝送するための伝送チャネルに対応するアクセスモードは異なっており、したがってデータ1およびデータ2伝送時の遅延は異なり、その結果、サイズが小さいデータ1は、低遅延の伝送チャネルを使用して伝送することができ、サイズが大きいデータ2は、高遅延の伝送チャネルを使用して伝送される。
【００４８】
（3）伝送されるデータに基づいて生成された、サイズが異なる複数のデータ内で、サイズが小さいデータは、低周波数帯無線リンクを使用して伝送され、サイズが大きいデータは、高周波数帯無線リンクを使用して伝送される。
【００４９】
低周波数帯無線リンクでは、チャネル品質は良好で信頼性が高く、再伝送する回数が少ないので、低周波数帯無線リンクを使用した伝送データは低遅延であり、これとは逆に、高周波数帯無線リンクを使用した伝送データの伝送遅延は高遅延になる。伝送端末装置は、低周波数帯無線リンクを使用して、例えば、6GHzを下回る周波数帯を使用して、サイズが小さいデータ1を伝送し、伝送端末装置は、高周波数帯無線リンクを使用して、例えば、ミリ波周波数帯を使用して、サイズが大きいデータ2を伝送する。このようにして、小さいサイズのデータは、低遅延の伝送チャネルを使用して伝送され、大きいサイズのデータは、高遅延の伝送チャネルを使用して伝送される。
【００５０】
（4）サイズが小さいデータ1は、伝送チャネル1を使用して伝送され、サイズが大きいデータ2は、伝送チャネル2を使用して伝送される。また、伝送チャネル1にあるアクセス装置のカバレッジ領域は大きく、伝送チャネル2にあるアクセス装置のカバレッジ領域は小さい。例えば、伝送チャネル1にあるアクセス装置はマクロステーションであり、伝送チャネル2にあるアクセス装置はスモールセルである。
【００５１】
（5）サイズが小さいデータ1は、小容量の伝送チャネルを使用して伝送され、サイズが大きいデータ2は、大容量の伝送チャネルを使用して伝送される。例えば、データ1は、チャネル速度100Mbpsの伝送チャネルを使用して伝送され、データ2は、チャネル速度1Gbpsの伝送チャネルを使用して伝送される。
【００５２】
また、サイズが小さいデータ1は、小容量の伝送チャネルを使用して伝送されてもよく、サイズが大きいデータ2は、大容量の伝送チャネルを使用して伝送されてもよい。この場合、データ1およびデータ2の伝送に必要な総合遅延はより低くなる。
【００５３】
あるいは、サイズが小さいデータ1が、大容量の伝送チャネルを使用して伝送されてもよく、サイズが大きいデータ2が、小容量の伝送チャネルを使用して伝送されてもよい。この場合、データ1伝送時の遅延は低遅延になり、受信端末装置は、より短い時間でデータ1を受信することができ、その結果、ユーザは、必要な情報を時間内に取得することができ、これによってユーザの使用感が向上する。1つの例では、アクセス装置は、その対応する伝送チャネルの関連情報を伝送端末装置に送信する。例えば、アクセス装置は、その対応する伝送チャネルの容量および信頼性などの情報を伝送端末装置に送信する。伝送端末装置は、例えば、各伝送チャネルの関連情報に基づいて、伝送されるデータに基づいて生成されたデータの量を判定し、データ2がデータ1に関する情報を含むかどうかについての情報などの、大きいサイズのデータ（データ2）に含まれる情報を判定して、各生成データ（データ1およびデータ2）に対して、対応する伝送チャネルを選択する。
【００５４】
ステップ203において、受信端末装置は、低伝送遅延の伝送チャネルを使用して、小さいサイズのデータを受信する。例えば、受信端末装置は、伝送チャネル1を使用してデータ1を受信し、データ1を処理して表示し、かつデータ1から、データ1のソースを示すのに使用される情報を取得する。
【００５５】
ステップ204において、受信端末装置は、高伝送遅延の伝送チャネルを使用して、大きいサイズのデータを受信する。例えば、受信端末装置は、伝送チャネル2を使用してデータ2を受信し、データ2、および先に受信したデータ1が、同一の情報源から来たデータかどうかを判定する。データ2、および先に受信したデータ1が同一の情報源から来たデータである場合は、データ2が処理されて表示される。
【００５６】
受信端末装置は、
複数のデータのうちの各データの、対応するフィールドの識別子を使用して、複数のデータが、同一の情報源から来たかどうかを判定する方法と、
複数のデータのうちの各データの、チャネル識別子を使用して、複数のデータが同一の情報源から来たかどうかを判定する方法と、
複数のデータのうちの各データに含まれる、ソースIPアドレス、チャネル型、およびサービス型をのうちの1つ以上を使用して、複数のデータが、同一の情報源から来たかどうかを判定する方法と、
のうちの1つ以上の方法で、複数のデータが、同一の情報源から来たデータかどうかを判定してもよい。
【００５７】
適用シナリオにおいて、伝送端末装置は、伝送されるデータに基づいて、サイズが異なる2つのデータ、すなわちデータ1およびデータ2を生成する。伝送端末装置は、低遅延の伝送チャネル1を使用して、サイズが小さいデータ1を受信端末装置に送信し、高遅延の伝送チャネル2を使用して、サイズが大きいデータ2を受信端末装置に送信する。伝送チャネル1の遅延は低いので、受信端末装置はまずデータ1を受信し、データ1を処理してユーザにデータ1を提供し、かつデータ1から、データ1のソースを示すのに使用される情報を取得する。通常、受信端末装置がデータ1を処理してユーザにデータ1を提供する時間は20msよりも長く、20msは、伝送チャネル2を使用して、高遅延でデータ2を受信端末装置に伝送するのに十分な時間である。データ2を受信した後に、受信端末装置は、データ2から、データ2のソースを示すために使用される情報を取得して、データ2およびデータ1が同一の情報源から来たデータかどうかを判定するために、データ2のソースに関する情報を、データ1のソースを示すために使用される情報と整合する。データ2およびデータ1が同一の情報源から来たデータである場合は、データ2が処理されてユーザに提供される。
【００５８】
したがって、本発明のこの実施形態では、小さいサイズのデータは低伝送遅延の伝送チャネルを使用して伝送され、高伝送遅延の伝送チャネルを使用して伝送される大きいサイズのデータは、ユーザの反応時間を使用して受信される。このようにして、データ伝送を低遅延にするというユーザ要件が満たされる一方で、データ伝送の信頼性を高めるというユーザ要件も満たされる。
【００５９】
図3は、本発明の実施形態による、データ伝送装置の概略図である。データ伝送装置300は、生成ユニット310と、チャネル判定ユニット320と、送信ユニット330とを備える。
【００６０】
生成ユニット310は、伝送されるデータに基づいて、少なくとも第1のデータおよび第2のデータを生成するように構成され、第1のデータのサイズと、第2のデータのサイズとは異なる。
【００６１】
送信ユニット330は、第1の伝送チャネルを使用して第1のデータを送信し、第2の伝送チャネルを使用して第2のデータを送信するように構成され、第1の伝送チャネルの伝送遅延は、第2の伝送チャネルの伝送遅延とは異なる。
【００６２】
1つの例では、第1のデータのサイズは、第2のデータのサイズよりも小さく、第1の伝送チャネルの伝送遅延は、第2の伝送チャネルの伝送遅延よりも低い。
【００６３】
1つの例では、第1のデータは第1の識別子を含み、第2のデータは第2の識別子を含み、第1の識別子および第2の識別子は、第1のデータおよび第2のデータが、同一の情報源から来たかどうかを示すために使用される。
【００６４】
1つの例では、生成ユニット310は、サイズが異なる第1のデータおよび第2のデータを取得するために、異なる圧縮率に基づいて、伝送されるデータを圧縮するように特に構成される。
【００６５】
別の例において、生成ユニット310は伝送されるデータから、基本データと拡張データとを取得するように特に構成される。基本データは、主要な機能を有する小さいサイズのデータであり、伝送されるデータを使用して取得され、拡張データは、副次的な機能を有する大きいサイズのデータであり、伝送されるデータを使用して取得される。
【００６６】
1つの例では、チャネル判定ユニット320は、
第1の伝送チャネルにある通信装置の数が、第2の伝送チャネルにある通信装置の数とは異なるようにする方法と、
第1の伝送チャネルにあるアクセス装置のアクセスモードが、第2の伝送チャネルにあるアクセス装置のアクセスモードとは異なるようにする方法と、
第1の伝送チャネルが使用する周波数帯が、第2の伝送チャネルが使用する周波数帯とは異なるようにする方法と、
第1の伝送チャネルにあるアクセス装置のカバレッジ領域が、第2の伝送チャネルにあるアクセス装置のカバレッジ領域とは異なるようにする方法と、
第1の伝送チャネルの容量が、第2の伝送チャネルの容量とは異なるようにする方法と、
のうちのいずれか1つ以上の方法を使用して、第1の伝送チャネルおよび第2の伝送チャネルを判定するように構成される。
【００６７】
図4は、本発明の実施形態による、別のデータ伝送装置を示す。データ伝送装置400は、受信ユニット410と、処理ユニット420と、同一ソースデータ判定ユニット430とを備える。
【００６８】
受信ユニット410は、第1の伝送チャネルから第1のデータを受信するように構成される。
【００６９】
処理ユニット420は、第1のデータを処理するように構成される。
【００７０】
受信ユニット410は、第2の伝送チャネルから第2のデータを受信するようにさらに構成される。
【００７１】
同一ソースデータ判定ユニット430は、第2のデータおよび第1のデータが、同一の情報源から来たかどうかを判定するように構成される。
【００７２】
処理ユニット420は、第1のデータおよび第2のデータが同一の情報源から来たデータである場合は、第2のデータを処理するようにさらに構成される。
【００７３】
第1のデータのサイズは、第2のデータのサイズとは異なり、第1の伝送チャネルの伝送遅延は、第2の伝送チャネルの伝送遅延とは異なる。
【００７４】
1つの例では、第1のデータのサイズは、第2のデータのサイズよりも小さく、第1の伝送チャネルの伝送遅延は、第2の伝送チャネルの伝送遅延よりも低い。
【００７５】
1つの例では、同一ソースデータ判定ユニット430は、第1のデータ、および第2のデータ内の対応するフィールドの識別子を使用して、第1のデータおよび第2のデータが、同一の情報源から来たかどうかを判定するか、第1のデータのチャネル識別子、および第2のデータのチャネル識別子を使用して、第1のデータおよび第2のデータが、同一の情報源から来たかどうかを判定するか、または第1のデータおよび第2のデータのそれぞれに含まれる、ソースIPアドレス、チャネル型、およびサービス型のうちの1つ以上を使用して、第1のデータおよび第2のデータが同一の情報源から来たかどうかを判定するようにさらに構成される。
【００７６】
図5は、本発明の実施形態による、伝送端末装置の概略図である。伝送端末装置500は、プロセッサ510と、伝送器520とを備える。
【００７７】
プロセッサ510は、伝送されるデータに基づいて、少なくとも第1のデータおよび第2のデータを生成するように構成され、第1のデータのサイズと、第2のデータのサイズとは異なる。
【００７８】
伝送器520は、第1の伝送チャネルを使用して第1のデータを送信し、第2の伝送チャネルを使用して第2のデータを送信するように構成され、第1の伝送チャネルの伝送遅延は、第2の伝送チャネルの伝送遅延とは異なる。
【００７９】
1つの例では、第1のデータのサイズは、第2のデータのサイズよりも小さく、第1の伝送チャネルの伝送遅延は、第2の伝送チャネルの伝送遅延よりも低い。
【００８０】
1つの例では、第1のデータは第1の識別子を含み、第2のデータは第2の識別子を含み、第1の識別子および第2の識別子は、第1のデータおよび第2のデータが、同一の情報源から来たかどうかを示すために使用される。
【００８１】
1つの例では、プロセッサ510は、サイズが異なる第1のデータおよび第2のデータを取得するために、異なる圧縮率に基づいて、伝送されるデータを圧縮するように特に構成される。
【００８２】
別の例において、プロセッサ510は伝送されるデータから、基本データと拡張データとを取得するように特に構成される。基本データは、主要な機能を有する小さいサイズのデータであり、伝送されるデータを使用して取得され、拡張データは、副次的な機能を有する大きいサイズのデータであり、伝送されるデータを使用して取得される。
【００８３】
1つの例では、プロセッサ510は、
第1の伝送チャネルにある通信装置の数が、第2の伝送チャネルにある通信装置の数とは異なるようにする方法と、
第1の伝送チャネルにあるアクセス装置のアクセスモードが、第2の伝送チャネルにあるアクセス装置のアクセスモードとは異なるようにする方法と、
第1の伝送チャネルが使用する周波数帯が、第2の伝送チャネルが使用する周波数帯とは異なるようにする方法と、
第1の伝送チャネルにあるアクセス装置のカバレッジ領域が、第2の伝送チャネルにあるアクセス装置のカバレッジ領域とは異なるようにする方法と、
第1の伝送チャネルの容量が、第2の伝送チャネルの容量とは異なるようにする方法と、
のうちの1つ以上の方法を使用して、第1の伝送チャネルおよび第2の伝送チャネルを判定する。
【００８４】
図6は、本発明の実施形態による、受信端末装置の概略図である。受信端末装置600は、受信機610と、プロセッサ620とを備える。
【００８５】
受信機610は、第1の伝送チャネルから第1のデータを受信するように構成される。
【００８６】
プロセッサ620は、第1のデータを処理するように構成される。
【００８７】
受信機610は、第2の伝送チャネルから第2のデータを受信するようにさらに構成される。
【００８８】
プロセッサ620は、第2のデータおよび第1のデータが同一の情報源から来たかどうかを判定し、第1のデータおよび第2のデータが同一の情報源からきている場合は、第2のデータを処理するようにさらに構成される。
【００８９】
第1のデータのサイズは、第2のデータのサイズとは異なり、第1の伝送チャネルの伝送遅延は、第2の伝送チャネルの伝送遅延とは異なる。
【００９０】
1つの例では、第1のデータのサイズは、第2のデータのサイズよりも小さく、第1の伝送チャネルの伝送遅延は、第2の伝送チャネルの伝送遅延よりも低い。
【００９１】
別の例において、プロセッサ620は、第1のデータ、および第2のデータ内の対応するフィールドの識別子を使用して、第1のデータおよび第2のデータが、同一の情報源から来たかどうかを判定するか、第1のデータのチャネル識別子、および第2のデータのチャネル識別子を使用して、第1のデータおよび第2のデータが、同一の情報源から来たかどうかを判定するか、または第1のデータおよび第2のデータのそれぞれに含まれる、ソースIPアドレス、チャネル型、およびサービス型のうちの1つ以上を使用して、第1のデータおよび第2のデータが同一の情報源から来たかどうかを判定するようにさらに構成される。
【００９２】
本明細書に開示された実施形態で説明した例を組み合わせて、ユニットおよびアルゴリズム工程を、電子的ハードウェア、コンピュータソフトウェア、またはそれらの組み合わせによって実施できることは、当業者にはさらに認識されているであろう。ハードウェアとソフトウェアとの間の互換性を明確に説明するために、上述の説明で、各例の組成と工程について、機能に基づいて一般的に説明した。機能は、ハードウェアで実行されてもソフトウェアで実行されても、技術的解決策の特定の用途および設計の制約条件に基づく。当業者であれば、各特定用途に対して、説明した機能を実施するために異なる方法を用いることができるが、この実施が本発明の範囲を逸脱すると考えられるべきではない。
【００９３】
当業者であれば、実施形態における前述の各方法のステップのすべてまたは一部は、プロセッサに命令するプログラムによって実施され得ることが理解されよう。前述したプログラムは、コンピュータ可読記憶媒体に記憶されてもよい。記憶媒体は、ランダムアクセスメモリ、読み出し専用メモリ、フラッシュメモリ、ハードディスク、SSD（solid state drive）、磁気テープ（magnetic tape）、フロッピーディスク（floppy disk）、光学ディスク（optical disc）、その他これらの任意の組み合わせなどの、非一時的な（non−transitory）媒体である。
【００９４】
前述した説明は、本発明の具体的な実施形態の単なる例であって、本発明の保護の範囲を限定することを意図するものではない。本発明で開示されている技術的範囲内で、当業者が容易に思いつく任意の変形または置き換えは、本発明の保護の範囲内に入るものとする。したがって、本発明の保護範囲は、特許請求の範囲の保護範囲に属するものとする。
【符号の説明】
【００９５】
300  データ伝送装置
310  生成ユニット
320  チャネル判定ユニット
330  送信ユニット
400  データ伝送装置
410  受信ユニット
420  処理ユニット
430  同一ソースデータ判定ユニット
500  伝送端末装置
510  プロセッサ
520  伝送器
600  受信端末装置
610  受信機
620  プロセッサ
【図１】
2019528000.tif 000003
【図２】
2019528000.tif 000004
【図３】
2019528000.tif 000005
【図４】
2019528000.tif 000006
【図５】
2019528000.tif 000007
【図６】
2019528000.tif 000008
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
データ伝送方法であって、前記方法は、
伝送端末装置によって、伝送されるデータに基づいて、少なくとも第1のデータおよび第2のデータを生成するステップであって、前記第1のデータのサイズと、前記第2のデータのサイズとが異なっている、生成する、ステップと、
前記伝送端末装置によって、第1の伝送チャネルを使用して前記第1のデータを送信し、第2の伝送チャネルを使用して前記第2のデータを送信するステップであって、前記第1の伝送チャネルの伝送遅延は、前記第2の伝送チャネルの伝送遅延とは異なる、送信する、ステップと
を含む、方法。
【請求項２】
前記第1のデータの前記サイズが、前記第2のデータの前記サイズよりも小さく、前記第1の伝送チャネルの前記伝送遅延が、前記第2の伝送チャネルの前記伝送遅延よりも低い、請求項1に記載の方法。
【請求項３】
前記第1のデータが第1の識別子を含み、前記第2のデータが第2の識別子を含み、前記第1の識別子および前記第2の識別子が、前記第1のデータおよび前記第2のデータが、同一の情報源から来たかどうかを示すために使用される、請求項1または2に記載の方法。
【請求項４】
前記伝送端末装置によって、伝送されるデータに基づいて、少なくとも第1のデータおよび第2のデータを生成する前記ステップであって、前記第1のデータのサイズと、前記第2のデータのサイズとが異なる、前記ステップが、
前記伝送端末装置によって、サイズが異なる前記第1のデータおよび前記第2のデータを取得するために、異なる圧縮率に基づいて、前記伝送されるデータを圧縮することである、請求項1〜3のいずれか一項に記載の方法。
【請求項５】
前記第1のデータが、基本データであり、前記第2のデータが、拡張データであり、前記基本データは、主要な機能を有する、サイズが小さいデータであり、前記伝送されるデータを使用して取得され、前記拡張データは、副次的な機能を有する大きいサイズのデータであり、前記伝送されるデータを使用して取得される、
請求項1〜3のいずれか一項に記載の方法。
【請求項６】
前記第1の伝送チャネルの伝送遅延が、前記第2の伝送チャネルの伝送遅延とは異なることを特徴とし、
前記第1の伝送チャネルにある通信装置の数が、前記第2の伝送チャネルにある通信装置の数とは異なることと、
前記第1の伝送チャネルにあるアクセス装置のアクセスモードが、前記第2の伝送チャネルにあるアクセス装置のアクセスモードとは異なることと、
前記第1の伝送チャネルが使用する周波数帯が、前記第2の伝送チャネルが使用する周波数帯とは異なることと、
前記第1の伝送チャネルにある前記アクセス装置のカバレッジ領域が、前記第2の伝送チャネルにある前記アクセス装置のカバレッジ領域とは異なることと、
前記第1の伝送チャネルの容量が、前記第2の伝送チャネルの容量とは異なることと、
のうちのいずれか1つ以上を含む、請求項1〜5のいずれか一項に記載の方法。
【請求項７】
データ受信方法であって、前記方法は、
受信端末装置によって、第1の伝送チャネルから第1のデータを受信して、前記第1のデータを処理するステップと、
前記受信端末装置によって、第2の伝送チャネルから第2のデータを受信して、前記第2のデータおよび前記第1のデータが同じ情報源から来たデータかどうかを判定して、前記第1のデータおよび前記第2のデータが同一の情報源から来たデータである場合は、前記第2のデータを処理するステップとを含み、
前記第1のデータのサイズは、前記第2のデータのサイズとは異なり、前記第1の伝送チャネルの伝送遅延は、前記第2の伝送チャネルの伝送遅延とは異なる、
方法。
【請求項８】
前記第1のデータの前記サイズが、前記第2のデータの前記サイズよりも小さく、前記第1の伝送チャネルの前記伝送遅延が、前記第2の伝送チャネルの前記伝送遅延よりも低い、請求項7に記載の方法。
【請求項９】
前記第2のデータおよび前記第1のデータが、同じ情報源から来たかどうかを判定する前記ステップが、
前記第1のデータ、および前記第2のデータ内の対応するフィールドの識別子を使用して、前記第1のデータおよび前記第2のデータが、前記同一の情報源から来たかどうかを判定することと、
前記第1のデータのチャネル識別子、および前記第2のデータのチャネル識別子を使用して、前記第1のデータおよび前記第2のデータが、前記同じ情報源から来たかどうかを判定することと、
前記第1のデータおよび前記第2のデータのそれぞれに含まれる、ソースIPアドレス、チャネル型、およびサービス型のうちの1つ以上を使用して、前記第1のデータおよび前記第2のデータが同じ情報源から来たかどうかを判定することと、
のうちのいずれか1つ以上を含む、請求項7または8に記載の方法。
【請求項１０】
前記第1の伝送チャネルの伝送遅延が、前記第2の伝送チャネルの伝送遅延とは異なることを特徴とし、
前記第1の伝送チャネルにある通信装置の数が、前記第2の伝送チャネルにある通信装置の数とは異なることと、
前記第1の伝送チャネルにあるアクセス装置のアクセスモードが、前記第2の伝送チャネルにあるアクセス装置のアクセスモードとは異なることと、
前記第1の伝送チャネルが使用する周波数帯が、前記第2の伝送チャネルが使用する周波数帯とは異なることと、
前記第1の伝送チャネルにある前記アクセス装置のカバレッジ領域が、前記第2の伝送チャネルにある前記アクセス装置のカバレッジ領域とは異なることと、
前記第1の伝送チャネルの容量が、前記第2の伝送チャネルの容量とは異なることと、
のうちのいずれか1つ以上を含む、請求項7〜9のいずれか一項に記載の方法。
【請求項１１】
伝送されるデータに基づいて、少なくとも第1のデータおよび第2のデータを生成するように構成され、前記第1のデータのサイズと、前記第2のデータのサイズとが異なる、生成ユニットと、
第1の伝送チャネルを使用して前記第1のデータを送信し、第2の伝送チャネルを使用して前記第2のデータを送信するように構成された送信ユニットであって、前記第1の伝送チャネルの伝送遅延は、前記第2の伝送チャネルの伝送遅延とは異なる、送信ユニットと
を備える、データ伝送装置。
【請求項１２】
前記第1のデータの前記サイズが、前記第2のデータの前記サイズよりも小さく、前記第1の伝送チャネルの前記伝送遅延が、前記第2の伝送チャネルの前記伝送遅延よりも低い、請求項11に記載の装置。
【請求項１３】
前記第1のデータが第1の識別子を含み、前記第2のデータが第2の識別子を含み、前記第1の識別子および前記第2の識別子が、前記第1のデータおよび前記第2のデータが、同一の情報源から来たかどうかを示すために使用される、請求項11または12に記載の装置。
【請求項１４】
前記生成ユニットが、
サイズが異なる前記第1のデータおよび前記第2のデータを取得するために、異なる圧縮率に基づいて前記伝送されるデータを圧縮する、
ように構成される、請求項11〜13のいずれか一項に記載の装置。
【請求項１５】
前記第1のデータが基本データであり、前記第2のデータが拡張データであり、前記基本データは、主要な機能を有する、サイズが小さいデータであり、前記伝送されるデータを使用して取得され、前記拡張データは、副次的な機能を有する大きいサイズのデータであり、前記伝送されるデータを使用して取得される、
請求項11〜13のいずれか一項に記載の装置。
【請求項１６】
前記装置が、チャネル判定ユニットをさらに備え、前記チャネル判定ユニットが、前記第1の伝送チャネルにある通信装置の数が、前記第2の伝送チャネルにある通信装置の数とは異なるようにする方法と、
前記第1の伝送チャネルにあるアクセス装置のアクセスモードが、前記第2の伝送チャネルにあるアクセス装置のアクセスモードとは異なるようにする方法と、
前記第1の伝送チャネルが使用する周波数帯が、前記第2の伝送チャネルが使用する周波数帯とは異なるようにする方法と、
前記第1の伝送チャネルにある前記アクセス装置のカバレッジ領域が、前記第2の伝送チャネルにある前記アクセス装置のカバレッジ領域とは異なるようにする方法と、
前記第1の伝送チャネルの容量が、前記第2の伝送チャネルの容量とは異なるようにする方法と、
のうちのいずれか1つ以上の方法を使用して、前記第1の伝送チャネルおよび前記第2の伝送チャネルを判定するように構成される、
請求項11〜15のいずれか一項に記載の装置。
【請求項１７】
データ受信装置であって、前記装置が、受信ユニットと、処理ユニットと、同一ソースデータ判定ユニットとを備え、
前記受信ユニットが、第1の伝送チャネルから第1のデータを受信するように構成され、
前記処理ユニットが、前記第1のデータを処理するように構成され、
前記受信ユニットが、第2の伝送チャネルから第2のデータを受信するようにさらに構成され、
前記同一ソースデータ判定ユニットが、前記第2のデータおよび前記第1のデータが同一の情報源から来たかどうかを判定するように構成され、
前記処理ユニットが、前記第1のデータおよび前記第2のデータが前記同一の情報源から来たデータである場合は、前記第2のデータを処理するようにさらに構成され、
前記第1のデータのサイズが、前記第2のデータのサイズとは異なり、前記第1の伝送チャネルの伝送遅延が、第2の伝送チャネルの伝送遅延とは異なる、
装置。
【請求項１８】
前記第1のデータのサイズが、前記第2のデータのサイズよりも小さく、前記第1の伝送チャネルの前記伝送遅延が、前記第2の伝送チャネルの前記伝送遅延よりも低い、請求項17に記載の装置。
【請求項１９】
前記同一ソースデータ判定ユニットが、
前記第1のデータ、および前記第2のデータ内の対応するフィールドの識別子を使用して、前記第1のデータおよび前記第2のデータが、前記同一の情報源から来たかどうかを判定し、
前記第1のデータのチャネル識別子、および前記第2のデータのチャネル識別子を使用して、前記第1のデータおよび前記第2のデータが、前記同一の情報源から来たかどうかを判定し、
前記第1のデータおよび前記第2のデータのそれぞれに含まれる、ソースIPアドレス、チャネル型、およびサービス型のうちの1つ以上を使用して、前記第1のデータおよび前記第2のデータが前記同一の情報源から来たかどうかを判定する、
ようにさらに構成された、請求項17または18に記載の装置。
【請求項２０】
プログラム命令を記憶するコンピュータ可読媒体であって、前記プログラム命令が、請求項1〜10のいずれか一項に記載の前記方法を行うように実行される、コンピュータ可読媒体。
【手続補正２】
【補正対象書類名】明細書
【補正対象項目名】００１４
【補正方法】変更
【補正の内容】
【００１４】
1つの例では、伝送端末装置によって、伝送されるデータに基づいて、少なくとも第1のデータおよび第2のデータを生成するステップであって、第1のデータのサイズと、第2のデータのサイズとが異なる、生成するステップは、
伝送端末装置によって、サイズが異なる第1のデータおよび第2のデータを取得するために、異なる圧縮率に基づいて、伝送されるデータを圧縮することである。
【手続補正３】
【補正対象書類名】明細書
【補正対象項目名】００５９
【補正方法】変更
【補正の内容】
【００５９】
図3は、本発明の実施形態による、データ伝送装置300の概略図である。データ伝送装置300は、生成ユニット310と、チャネル判定ユニット320と、送信ユニット330とを備える。
【手続補正４】
【補正対象書類名】明細書
【補正対象項目名】００６７
【補正方法】変更
【補正の内容】
【００６７】
図4は、本発明の実施形態による、別のデータ伝送装置400を示す。データ伝送装置400は、受信ユニット410と、処理ユニット420と、同一ソースデータ判定ユニット430とを備える。
【手続補正５】
【補正対象書類名】明細書
【補正対象項目名】００７６
【補正方法】変更
【補正の内容】
【００７６】
図5は、本発明の実施形態による、伝送端末装置500の概略図である。伝送端末装置500は、プロセッサ510と、伝送器520とを備える。
【手続補正６】
【補正対象書類名】明細書
【補正対象項目名】００８４
【補正方法】変更
【補正の内容】
【００８４】
図6は、本発明の実施形態による、受信端末装置600の概略図である。受信端末装置600は、受信機610と、プロセッサ620とを備える。
【手続補正７】
【補正対象書類名】図面
【補正対象項目名】図１
【補正方法】変更
【補正の内容】
【図１】
2019528000.tif 000009
【手続補正８】
【補正対象書類名】図面
【補正対象項目名】図４
【補正方法】変更
【補正の内容】
【図４】
2019528000.tif 000010
【国際調査報告】
2019528000.tif 000011
2019528000.tif 000012
2019528000.tif 000013
2019528000.tif 000014